(57)【要約】【課題】物品を効率よく収容することができ、物品の使用忘れを極力防止することができるブリスター包装体を提供する。【解決手段】１回の服用量毎に分包した医薬品１０と、医薬品１０を収容するために窪ませた複数の物品収容部２１及び物品収容部２１の周囲から外側に張りだすフランジ部２２を有するケース部材２０と、物品収容部２１に医薬品１０を収容した状態でフランジ部２２に貼着することで物品収容部２１の開口側を閉塞する蓋部材３０とから構成されており、物品収容部２１には１日に服用しなければならない３包の医薬品１０が収容されている。蓋部材３０は、ケース部材２０のフランジ部２２に物品収容部２１毎に剥離可能に貼着された内層粘着シートと、内層粘着シートの外面に剥離可能に貼着される外層粘着シートとから構成されており、内層粘着シートには、服用日が記入可能な医薬品１０の管理情報が物品収容部毎に表示されている。【選択図】        図１
2015013660.tif 000002
【特許請求の範囲】
【請求項１】
被包装体である物品と、
物品を収容するために窪ませた一または複数の物品収容部及びこの物品収容部の周囲から外側に張りだすフランジ部を有するケース部材と、
ケース部材の物品収容部に物品を収容した状態で、ケース部材のフランジ部に貼着することによって物品収容部の開口側を閉塞するシート状の蓋部材とを備えたブリスター包装体において、
一つの物品収容部には、使用タイミングの異なる複数の物品が収容されており、
蓋部材は、ケース部材のフランジ部に物品収容部毎に剥離可能に貼着された、一旦剥離した状態においても貼着可能な内層粘着シートと、この内層粘着シートの外面に剥離可能に貼着される、一旦剥離した状態においても内層粘着シート及びケース部材のフランジ部に貼着可能な外層粘着シートとを有し、
内層粘着シートは、収容物品の管理情報を物品収容部毎に表示可能に構成されていることを特徴とするブリスター包装体。
【請求項２】
被包装体である物品と、
物品を収容するために窪ませた一または複数の物品収容部及びこの物品収容部の周囲から外側に張りだすフランジ部を有するケース部材と、
ケース部材の物品収容部に物品を収容した状態で、ケース部材のフランジ部に貼着することによって物品収容部の開口側を閉塞するシート状の蓋部材とを備えたブリスター包装体において、
一つの物品収容部には、使用タイミングの異なる複数の物品が収容されており、
蓋部材は、ケース部材のフランジ部に剥離可能に貼着された、一旦剥離した状態においてもケース部材のフランジ部に再貼着可能な内層粘着シートと、内層粘着シートの外面に物品収容部毎に剥離可能に貼着される、一旦剥離した状態においても貼着可能な外層粘着シートとを有し、
外層粘着シートは、収容物品の管理情報を物品収容部毎に表示可能に構成されていることを特徴とするブリスター包装体。
【発明の詳細な説明】
【技術分野】
【０００１】
この発明は、例えば、服用方法が指定される医薬品等の包装形態に適したブリスター包装体に関する。
【背景技術】
【０００２】
各種物品の包装形態の一つとしてブリスター包装体がある。このブリスター包装体は、被包装体である物品を収容するために窪ませた一または複数の物品収容部及びこの物品収容部の周囲から外側に張りだすフランジ部を有するケース部材と、このケース部材の物品収容部に物品を収容した状態で、ケース部材のフランジ部に貼着することによって物品収容部の開口側を閉塞する蓋部材とを備えており、蓋部材として粘着シートを使用する場合は、蓋部材にミシン目等の破断手段を形成しておき、物品収容部に対応する部分を部分的に剥離することができるようになっている。
【０００３】
また、１日３回毎食後に１包づつ服用するといった具合に、服用方法が指定される医薬品のブリスター包装体については、医薬品の飲み忘れをなくすために、例えば、１回の服用量を各物品収容部に収容し、服用時に部分剥離される蓋部材としての粘着シートに服用日時を記載することができるようにしたものもある。
【先行技術文献】
【特許文献】
【０００４】
【特許文献１】特開２０１３−０６７４０６号公報
【発明の概要】
【発明が解決しようとする課題】
【０００５】
しかしながら、ケース部材の各物品収容部の間には、ある程度のスペースを確保する必要があるので、１回の服用量分の医薬品を各物品収容部に収容すると、ブリスター包装体が大きくなり、取扱性が悪いといった問題がある。特に、粉末タイプや顆粒タイプのように、小袋に収容された状態で提供される医薬品の場合は、その問題が顕著に現れる。
【０００６】
また、ある医薬品は、１日３回毎食後に服用しなければならないが、他の医薬品は、朝、晩の食後に服用しなければならないような場合、服用タイミングが異なる複数種類の医薬品を１回分毎に１つの物品収容部に収容すると、各物品収容部に収容する医薬品の量がまちまちとなり、収容効率が悪いといった問題もある。
【０００７】
さらに、１回に服用する医薬品を１つの物品収容部に収容する場合は、部分剥離した粘着シートは廃棄することになるので、次回の服用時までに、ブリスター包装体を手に取らなければ、飲み忘れが発生するといった問題もある。
【０００８】
そこで、この発明の課題は、物品を効率よく収容することができ、物品の使用忘れを極力防止することができるブリスター包装体を提供することにある。
【課題を解決するための手段】
【０００９】
上記の課題を解決するため、請求項１に係る発明は、被包装体である物品と、物品を収容するために窪ませた一または複数の物品収容部及びこの物品収容部の周囲から外側に張りだすフランジ部を有するケース部材と、ケース部材の物品収容部に物品を収容した状態で、ケース部材のフランジ部に貼着することによって物品収容部の開口側を閉塞するシート状の蓋部材とを備えたブリスター包装体において、一つの物品収容部には、使用タイミングの異なる複数の物品が収容されており、蓋部材は、ケース部材のフランジ部に物品収容部毎に剥離可能に貼着された、一旦剥離した状態においても貼着可能な内層粘着シートと、この内層粘着シートの外面に剥離可能に貼着される、一旦剥離した状態においても内層粘着シート及びケース部材のフランジ部に貼着可能な外層粘着シートとを有し、内層粘着シートは、収容物品の管理情報を物品収容部毎に表示可能に構成されていることを特徴とするブリスター包装体を提供するものである。
【００１０】
また、請求項２に係る発明は、被包装体である物品と、物品を収容するために窪ませた一または複数の物品収容部及びこの物品収容部の周囲から外側に張りだすフランジ部を有するケース部材と、ケース部材の物品収容部に物品を収容した状態で、ケース部材のフランジ部に貼着することによって物品収容部の開口側を閉塞するシート状の蓋部材とを備えたブリスター包装体において、一つの物品収容部には、使用タイミングの異なる複数の物品が収容されており、蓋部材は、ケース部材のフランジ部に剥離可能に貼着された、一旦剥離した状態においてもケース部材のフランジ部に再貼着可能な内層粘着シートと、内層粘着シートの外面に物品収容部毎に剥離可能に貼着される、一旦剥離した状態においても貼着可能な外層粘着シートとを有し、外層粘着シートは、収容物品の管理情報を物品収容部毎に表示可能に構成されていることを特徴としている。
【発明の効果】
【００１１】
以上のように、請求項１に係る発明のブリスター包装体は、一つの物品収容部に、使用タイミングの異なる複数の物品が収容されているので、使用タイミングが同じ物品を一つの物品収容部に収容する場合に比べて物品収容部の数が少なくなる。このため、ブリスター包装体全体を小型化することができ、取扱性が向上する。
【００１２】
また、蓋部材は、ケース部材のフランジ部に物品収容部毎に剥離可能に貼着された、一旦剥離した状態においても貼着可能な内層粘着シートと、この内層粘着シートの外面に剥離可能に貼着される、一旦剥離した状態においても内層粘着シート及びケース部材のフランジ部に貼着可能な外層粘着シートとを有しており、内層粘着シートは、収容物品の管理情報を物品収容部毎に表示可能に構成されているので、外層粘着シートを剥離した後、内層粘着シートにおける物品収容部に対応する部分を部分的に剥離することによって物品を取り出すことができ、一旦剥離した外層粘着シートを内層粘着シート及びケース部材のフランジ部に貼着することによって、開封した物品収容部を再封することができる。しかも、内層粘着シートには、収容物品の管理情報を物品収容部毎に表示することができるので、部分剥離した内側粘着シートを、目に付きやすいところに貼着しておくことで、開封した物品収容部に残された物品の使用忘れを極力防止することができる。
【００１３】
また、請求項２に係る発明のブリスター包装体も、一つの物品収容部に、使用タイミングの異なる複数の物品が収容されているので、ブリスター包装体全体を小型化することができ、取扱性が向上するという請求項１に係る発明と同様の効果が得られる。
【００１４】
また、蓋部材は、ケース部材のフランジ部に剥離可能に貼着された、一旦剥離した状態においてもケース部材のフランジ部に再貼着可能な内層粘着シートと、内層粘着シートの外面に物品収容部毎に剥離可能に貼着される、一旦剥離した状態においても貼着可能な外層粘着シートとを有し、外層粘着シートは、収容物品の管理情報を物品収容部毎に表示可能に構成されているので、外層粘着シートが貼着された内層粘着シートを剥離することによって物品を取り出すことができ、一旦剥離した内層粘着シートをケース部材のフランジ部に再貼着することによって、開封した物品収容部を再封することができる。しかも、外層粘着シートには、収容物品の管理情報を物品収容部毎に表示することができるので、部分剥離した外層粘着シートを、目に付きやすいところに貼着しておくことで、開封した物品収容部に残された物品の使用忘れを極力防止することができる。
【図面の簡単な説明】
【００１５】
【図１】（ａ）はこの発明に係るブリスター包装体の一実施形態を示す平面図、（ｂ）、（ｃ）は同上のブリスター包装体を示す側面図である。
【図２】同上のブリスター包装体を示す底面図である。
【図３】同上のブリスター包装体を示す分解側面図である。
【図４】同上のブリスター包装体を示す分解側面図である。
【図５】同上のブリスター包装体のケース部材を示す平面図である。
【図６】（ａ）は同上のブリスター包装体の蓋部材を構成している内層粘着シートを示す底面図、（ｂ）は同上の蓋部材を構成している外層粘着シートを示す底面図である。
【図７】（ａ）は図６（ａ）のＸ−Ｘ線に沿った断面図、（ｂ）は図６（ａ）のＹ−Ｙ線に沿った断面図である。
【図８】同上の外層粘着シートを示す断面図である。
【図９】（ａ）は図２のＸ−Ｘ線に沿った断面図、（ｂ）は図２のＹ−Ｙ線に沿った断面図である。
【図１０】同上のブリスター包装体の使用方法を説明するための説明図である。
【図１１】医薬品を取り出した物品収容部の再封状態を示す断面図である。
【図１２】他の実施形態であるブリスター包装体の蓋部材を示す底面図である。
【図１３】（ａ）は同上の蓋部材を構成している内層粘着シートを示す底面図、（ｂ）は同上の蓋部材を構成している外層粘着シートを示す底面図である。
【図１４】（ａ）は図１３（ａ）のＸ−Ｘ線に沿った断面図、（ｂ）は図１３（ａ）のＹ−Ｙ線に沿った断面図である。
【図１５】同上の外層粘着シートを示す断面図である。
【図１６】（ａ）は図１２のＸ−Ｘ線に沿った断面図、（ｂ）は図１２のＹ−Ｙ線に沿った断面図である。
【図１７】医薬品を取り出した物品収容部の再封状態を示す断面図である。
【発明を実施するための形態】
【００１６】
以下、実施の形態について図面を参照して説明する。図１〜図４は、この発明に係るブリスター包装体１を示している。このブリスター包装体１は、同図に示すように、１回の服用量毎に分包した粉状または顆粒状の医薬品１０と、この医薬品１０を収容するために窪ませた複数の物品収容部２１及びこの物品収容部２１の周囲から外側に張りだすフランジ部２２を有するケース部材２０と、ケース部材２０の物品収容部２１に医薬品１０を収容した状態で、ケース部材２０のフランジ部２２に貼着することによって物品収容部２１の開口側を閉塞するシート状の蓋部材３０とから構成されており、医薬品１０は、１日３回、朝・昼・晩の毎食後に１包づつ服用することになっている。
【００１７】
前記ケース部材２０は、例えば、ポリエチレンテレフタレート、ポリ塩化ビニル、ポリプロピレン、ポリエステル等の合成樹脂シートまたはこれらのシートが積層された複層シートを用いてシート成形法によって製造されており、図５に示すように、複数の物品収容部２１が配置された物品収容領域ＰＲと、フランジ部２２のみからなる表示領域ＤＲとから構成されている。なお、ケース部材２０は、透明または半透明であることが望ましいが、非透明であってもよく、その厚さは、０．１ｍｍ〜１ｍｍ、好ましくは、０．２ｍｍ〜０．５ｍｍである。
【００１８】
各物品収容部２１は、１日に服用しなければならない３包の医薬品１０を立てた状態で収容することができるような形状及び寸法を有しており、隣接する物品収容部２１間の窪み量を小さくすることによって、隣接する物品収容部２１の先端側だけが区画され、蓋材３０側は複数の物品収容部２１全体で１つの空間が形成されている。
【００１９】
前記フランジ部２２は、蓋部材３０の貼着面積を減らすために、周縁部を残して僅かに窪ませてあり、各物品収容部２１に対応する両側縁部分には、蓋部材３０を剥離する際に蓋部材３０を摘むことができるように、半円形状の切欠部２２ａが形成されている。
【００２０】
前記蓋部材３０は、図９（ａ）、（ｂ）に示すように、ケース部材２０のフランジ部２２に剥離可能に貼着された内層粘着シート３１（図６（ａ）参照）と、この内層粘着シート３１に貼着される外層粘着シート３３（図６（ｂ）参照）とから構成されており、内層粘着シート３１は、ケース部材２０のフランジ部２２における窪ませていない周縁部のみに貼着されるようになっている。
【００２１】
前記内層粘着シート３１は、図７（ａ）、（ｂ）に示すように、合成紙、合成樹脂フィルム、紙等の各種シートまたはこれらの積層シートやこれらのシートに金属蒸着層等の他の機能層が積層された積層シートによって形成された、厚さ０．０５ｍｍ〜１．０ｍｍ、好ましくは、０．１ｍｍ〜０．５ｍｍの基材層３１ａと、この基材層３１ａの外面におけるケース部材２０の物品収容領域ＰＲに対応する領域に積層された厚さ１μｍ〜２０μｍの表示印刷層３１ｂと、この表示印刷層３１ｂの外面に積層された、ワックス、滑剤、シリコーン等の易剥離剤を含む厚さ１０μｍ〜３０μｍの剥離層３１ｃと、基材層３１ａの内面に積層された、厚さ３μｍ〜５０μｍ、好ましくは、１０μｍ〜３０μｍの粘着剤層３１ｄと、この粘着剤層３１ｄの内面に部分的に積層されたフィルムまたは印刷インキによって形成される厚さ３μｍ〜２０μｍの隠蔽層３１ｅとから構成されており、隠蔽層３１ｅは、物品収容部２１に収容された医薬品１０が粘着剤層３１ｄに接触しないように、ケース部材２０の各物品収容部２１に対応する部分に配置されている。なお、粘着剤層３１ｄを構成する粘着材としては、ゴム系、アクリル系、ホットメルト系等の種々の粘着材を使用することができる。
【００２２】
また、この内層粘着シート３１には、ケース部材２０の各物品収容部２１に対応する部分を個別に剥離することができるように、複数のミシン目３２が形成されており、隣り合うミシン目３２間には、対応する物品収容部２１に収容された医薬品１０の服用日等を記入可能な医薬品の服用に関する管理情報が表示印刷層３１ｂによって表示されている。なお、この内層粘着シート３１は、一旦剥離しても、その粘着剤層３１ｃの粘着力は保持されており、必要に応じて適宜貼着することができる。
【００２３】
前記外層粘着シート３３は、図８に示すように、例えば、ポリエステル系合成紙等の合成紙、合成樹脂フィルム、紙等の各種シートまたはこれらの積層シートやこれらのシートに金属蒸着層等の他の機能層が積層された積層シートによって形成された、厚さ０．０５ｍｍ〜１．０ｍｍ、好ましくは０．１ｍｍ〜０．５ｍｍの基材層３３ａと、この基材層３３ａの外面に積層された、医薬品の名称、効能、服用方法及び注意書き等を表示する厚さ１μｍ〜２０μｍの表示印刷層３３ｂと、基材層３３ａの内面に積層された、厚さ３μｍ〜５０μｍ、好ましくは１０μｍ〜３０μｍの粘着剤層３３ｃとから構成されており、粘着剤層３３ｃを介して、内層粘着シート３１の外面に貼着されている。なお、粘着剤層３３ｃを構成する粘着材としては、ゴム系、アクリル系、ホットメルト系等の種々の粘着材を使用することができる。
【００２４】
従って、外層粘着シート３３におけるケース部材２０の表示領域ＤＲに対応する部分（図６（ｂ）の網掛表示部分）は、内層粘着シート３１の基材層３１ａに貼着されているので、この部分については外層粘着シート３３を内層粘着シート３１から容易に剥離することができず、内層粘着シート３１の剥離層３１ｃに貼着されている、ケース部材２０の物品収容領域ＰＲに対応する部分だけを剥離することができる。なお、この外層粘着シート３３は、一旦剥離しても、その粘着剤層３３ｃの粘着力は保持されており、内層粘着シート３１やケース部材２０のフランジ部２２に再貼着することができる。
【００２５】
以上のように構成されたブリスター包装体１は、薬剤師等が蓋部材３０を構成している外層粘着シート３３におけるケース部材２０の物品収容領域ＰＲに対応する部分を内層粘着シート３１から剥離して、各物品収容部２１毎に医薬品の服用に関する管理情報の表示部分に医薬品の服用日を記入した後、外層粘着シート３３の剥離部分を再度内層粘着シート３１に貼着した状態で、医薬品の服用者に提供する。
【００２６】
このブリスター包装体１を受け取った医薬品の服用者は、外層粘着シート３３におけるケース部材２０の物品収容領域ＰＲに対応する部分を剥離すると、各物品収容部２１毎に医薬品の服用に関する管理情報が表示された内層粘着シート３１が露出するので、該当する服用日が記入された物品収容部２１に対応する部分の一方の側縁を摘んで、上下のミシン目３２で破断しながら剥離すると、図１０に示すように、医薬品１０が収容された物品収容部２１が開放されるので、その指示に従って医薬品１０を取り出して服用する。
【００２７】
このようにして服用すべき医薬品１０を取り出した後は、図９（ａ）及び図１１に示すように、外層粘着シート３３の剥離部分を、内層粘着シート３１及び内層粘着シート３１を部分剥離することによって露出したケース部材２０のフランジ部２２に貼着することによって再封すると共に、内層粘着シート３１における剥離部分を、例えば、ビジネスマンであれば手帳、主婦であれば冷蔵庫といった、自分の目に付きやすいところに貼着しておくと、注意を喚起することができる。
【００２８】
以上のように、このブリスター包装体１は、１日で服用する３回分の医薬品１０が一つの物品収容部２１にまとめて収容されているので、１回分の医薬品を一つの物品収容部に収容する場合に比べて物品収容部の形成数を少なくすることができる。このため、ブリスター包装体１全体を小型化することができ、携帯性等の取扱性が向上する。
【００２９】
また、このブリスター包装体１は、蓋部材３０を、ケース部材２０の物品収容部２１毎に剥離可能にフランジ部２２に貼着された内層粘着シート３１と、この内層粘着シート３１の外面に剥離可能に貼着される外層粘着シート３３とによって構成したので、ケース部材２０の各物品収容部２１から医薬品１０を取り出すために、内層粘着シート３１を部分剥離することによってその一部を切除しても、一旦剥離した外層粘着シート３３を残された内層粘着シート３１及び内層粘着シート３１を一部切除することによって露出したケース部材２０のフランジ部２２に貼着することによって、物品収容部２１を再封することができる。
【００３０】
さらに、内層粘着シート３１には、物品収容部２１毎に医薬品の服用に関する管理情報が表示されており、そこには、医薬品１０の服用日を物品収容部２１毎に記入することができるようになっているので、物品収容部２１毎に医薬品１０の服用日を予め記入しておくと、各物品収容部２１から最初に医薬品１０を取り出すために部分剥離することによって一部が切除された内側粘着シート３１を、目に付きやすいところに貼着しておき、例えば、開封した物品収容部２１に収容された医薬品１０を服用する度に、「朝・昼・晩」の該当表示部分に丸印を記入しておくことで、開封した物品収容部２１に残された医薬品１０の飲み忘れを極力防止することができる。
【００３１】
また、このブリスター包装体１は、外層粘着シート３３の全面を表示領域として使用することができるので、表示しなければならない情報量が多い医薬品等の包装形態として適している。
【００３２】
なお、上述した実施形態では、蓋部材３０を、ケース部材２０の物品収容部２１毎に剥離可能にフランジ部２２に貼着された内層粘着シート３１と、この内層粘着シート３１の外面に剥離可能に貼着される外層粘着シート３３とによって構成し、医薬品１０の服用に関する管理情報を物品収容部２１毎に内層粘着シート３１に表示しているが、例えば、図１２及び図１３（ａ）、（ｂ）に示すように、蓋部材３０Ａを、ケース部材２０のフランジ部２２に剥離可能に貼着された、一旦剥離した状態においてもケース部材２０のフランジ部２２に再貼着可能な内層粘着シート３１Ａと、この内層粘着シート３１Ａの外面に剥離可能に貼着される、一旦剥離した状態においても貼着可能な外層粘着シート３３Ａとによって構成し、外層粘着シート３３Ａには、ケース部材２０の各物品収容部２１に対応する部分を個別に剥離することができるように、複数のミシン目３４を形成すると共に、医薬品１０の服用日等を記入可能な医薬品の服用に関する管理情報を物品収容部２１毎に表示するようにしてもよい。
【００３３】
この蓋部材３０Ａの場合、内層粘着シート３１Ａは、図１４（ａ）、（ｂ）に示すように、上述したブリスター包装体１の蓋部材３０を構成している外層粘着シート３１と基本的に同様の層構造を有しているが、表示印刷層３１ｂは基材層３１ａの全面に形成されており、その上に積層される剥離層３１ｃはケース部材２０の物品収容領域ＰＲに対応する部分にだけ形成されている。また、外層粘着シート３３Ａも、図１５に示すように、上述したブリスター包装体１の蓋部材３０を構成している外層粘着シート３３と同様の層構造を有しているが、ケース部材２０の物品収容領域ＰＲに対応する部分にだけ貼着されており、内層粘着シート３１Ａの全面を覆っていない。なお、内層粘着シート３１Ａは、外層粘着シート３３Ａを剥離する際、その側縁部を摘むことができるように、ケース部材２０と同一の平面形状に形成されており、（図１３（ａ）及び図１６（ａ）、（ｂ）参照）、物品収容部２１に収容された医薬品１０が接触しないように、粘着面（粘着剤層３１ｄの内面）におけるケース部材２０の各物品収容部２１に対応する部分に隠蔽層３１ｅが形成されている。
【００３４】
以上のように構成された蓋部材３０Ａを採用したブリスター包装体は、薬剤師等が蓋部材３０Ａを構成している外層粘着シート３３Ａにおける医薬品の服用に関する管理情報の表示部分に物品収容部２１毎に医薬品の服用日等を記入した状態で、医薬品の服用者に提供する。一方、このブリスター包装体を受け取った医薬品の服用者は、内層粘着シート３１Ａにおけるケース部材２０の物品収容領域ＰＲに対応する部分を剥離することで物品収容部２１を開放し、外層粘着シート３３Ａに表示された医薬品の服用に関する管理情報に従って医薬品１０を取り出して服用する。剥離した内層粘着シート３１Ａは、図１７に示すように、ケース部材２０に貼着することで物品収容部２１を再封すると共に、外層粘着シート３３Ａにおける医薬品１０を取り出した物品収容部２１に対応する部分を部分剥離して自分の目に付きやすいところに貼着しておき、上述したブリスター包装体１と同様に、開封した物品収容部２１に収容された医薬品１０を服用する度に、「朝・昼・晩」の該当表示部分に丸印を記入しておくと、開封した物品収容部２１に残された医薬品１０の飲み忘れを極力防止することができる。
【００３５】
また、内層粘着シート３１Ａを構成している基材層３１ａを透明素材によって形成すると共に、内層粘着シート３１Ａにおける外層粘着シート３３Ａの貼着領域については表示印刷層を省略または透過印刷を施すことによって表示印刷層３１ｂを形成することで、ケース部材２０の物品収容領域ＰＲを視認可能に構成しておくと、開封して外層粘着シート３３Ａを部分剥離した物品収容部２１内の医薬品１０の服用状態（服用完了状態または服用途中の状態）を視覚的に簡単に管理することができる。
【００３６】
また、上述したブリスター包装体１では、内層粘着シート３１における粘着剤層３１ｄの内面に隠蔽層３１ｅを形成しているが、これに限定されるものではなく、物品収容部に収容する物品によっては、隠蔽層を省略することも可能である。
【００３７】
また、上述したブリスター包装体１を構成しているケース部材２０は、隣接する物品収容部２１間の窪み量を小さくすることによって、隣接する物品収容部２１の先端側だけが区画され、蓋材３０側は複数の物品収容部２１全体で１つの空間が形成されているので、ケース部材２０のフランジ部２２に蓋部材３０を貼着しても、各物品収容部２１が密封されない状態になっているが、これに限定されるものではなく、各物品収容部の周辺部分に蓋部材が貼着されるようなフランジ部を形成しておくことで、各物品収容部を密封することも可能であり、防塵効果や防湿効果を得ることができる。
【００３８】
また、上述したブリスター包装体１では、複数の物品収容部２１が形成されたケース部材２０を採用しているが、これに限定されるものではなく、物品収容部は１つでもよく、その場合も上述したブリスター包装体１と同様の効果を得ることができる。
【００３９】
また、上述した各実施形態では、分包された医薬品が包装されたブリスター包装体について説明したが、錠剤やカプセル剤等の医薬品についても適用可能であることはいうまでもない。
【００４０】
また、上述した各実施形態では、１種類の医薬品が包装されたブリスター包装体について説明したが、これに限定されるものではなく、服用タイミングの異なる複数種類の医薬品を１日分毎に各物品収容部に収容するようにしてもよく、そうすることによって、服用タイミングが異なる複数種類の医薬品を１回分毎に１つの物品収容部に収容する場合のように、各物品収容部に収容する医薬品の量がまちまちとなることがなく、飲み忘れを防止しつつ、医薬品の収容効率を高めることができるという効果が得られる。
【００４１】
また、上述したブリスター包装体１では、蓋部材３０を構成している外層粘着シート３３の外面側だけを表示領域として使用しているが、内面側にも表示することが可能であり、そうすることによって、表示すべき情報量を拡大することができる。
【００４２】
また、被包装体は上述したような医薬品に限定されるものではなく、例えば、毎食後使用する使い捨てタイプの歯間ブラシ等について本発明のブリスター包装体を適用することによって、磨き忘れを防止することができるという効果が得られる。
【産業上の利用可能性】
【００４３】
本発明は、使用タイミングが定められた種々の物品を包装する場合に利用することができる。
【符号の説明】
【００４４】
１  ブリスター包装体
１０  医薬品
２０  ケース部材
２１  物品収容部
２２  フランジ部
２２ａ  切欠部
３０、３０Ａ  蓋部材
３１、３１Ａ  内層粘着シート
３１ａ  基材層
３１ｂ  表示印刷層
３１ｃ  剥離層
３１ｄ  粘着剤層
３１ｅ  隠蔽層
３２  ミシン目
３３、３３Ａ  外層粘着シート
３３ａ  基材層
３３ｂ  表示印刷層
３３ｃ  粘着剤層
３４  ミシン目
ＤＲ  表示領域
ＰＲ  物品収容領域
【図１】
2015013660.tif 000003
【図２】
2015013660.tif 000004
【図３】
2015013660.tif 000005
【図４】
2015013660.tif 000006
【図５】
2015013660.tif 000007
【図６】
2015013660.tif 000008
【図７】
2015013660.tif 000009
【図８】
2015013660.tif 000010
【図９】
2015013660.tif 000011
【図１０】
2015013660.tif 000012
【図１１】
2015013660.tif 000013
【図１２】
2015013660.tif 000014
【図１３】
2015013660.tif 000015
【図１４】
2015013660.tif 000016
【図１５】
2015013660.tif 000017
【図１６】
2015013660.tif 000018
【図１７】
2015013660.tif 000019